(57)【特許請求の範囲】
【請求項１】
再生の過程でユーザの対話的な選択操作に応じて異なる情報を再生する再生手段と、
前記再生手段により再生された情報を記録媒体に記録する記録手段と、
前記再生手段によるユーザの対話的な選択操作を可能とするための選択画面が出力されたことを検出する選択画面検出手段と、
前記選択画面検出手段により選択画面が検出されると、その選択の間、前記記録手段の記録動作を一時停止させる記録制御手段とを備える、
ことを特徴とする再生記録システム。
【請求項２】
前記再生手段におけるユーザの選択操作を検出する選択操作検出手段を備え、前記記録制御手段は、前記選択操作検出手段が選択操作を検出すると、前記記録手段の記録動作を再開させる、
ことを特徴とする請求項１に記載の再生記録システム。
【請求項３】
前記選択画面検出手段は、選択時にメニュー画面に表示されるハイライト情報を検出することにより、選択画面の出力を検出する手段を備える、
ことを特徴とする請求項１又は２に記載の再生記録システム。
【請求項４】
前記選択画面検出手段は、選択時におけるユーザの入力待ち状態を検出することにより、選択画面の出力を検出する手段を備える、
ことを特徴とする請求項１又は２に記載の再生記録システム。
【請求項５】
前記再生手段は、記録媒体に記録されている情報を再生する手段を備える、
ことを特徴とする請求項１から４のいずれか１項に記載の再生記録システム。
【請求項６】
前記再生手段が再生する記録媒体はＤＶＤである、
ことを特徴とする請求項１から４のいずれか１項に記載の再生記録システム。
【請求項７】
前記再生手段は、双方向通信を行ってユーザの選択に応じた情報を受信して再生する手段を備える、
ことを特徴とする請求項１から４のいずれか１項に記載の再生記録システム。
【請求項８】
外部記録装置を接続して再生内容を記録媒体に記録させる再生装置において、
再生の過程でユーザの対話的な選択操作に応じて異なる内容を再生する再生手段と、
前記再生手段におけるユーザの選択画面の出力を検出し、その選択画面におけるユーザの選択操作を検出する選択検出手段と、
前記選択検出手段により選択画面が検出されると、前記外部記録装置による前記再生手段の再生内容を記録する動作を停止させ、前記選択検出手段により選択操作が検出されると前記外部記録装置による記録動作を再開させる記録制御手段とを備える、
ことを特徴とする再生装置。
【請求項９】
前記選択検出手段は、選択時にメニュー画面に表示されるハイライト情報を検出することにより、選択画面の出力を検出する手段を備える、
ことを特徴とする請求項８に記載の再生装置。
【請求項１０】
前記選択検出手段は、選択時におけるユーザの入力待ち状態を検出することにより、選択画面の出力を検出する手段を備える、
ことを特徴とする請求項８に記載の再生装置。
【請求項１１】
前記再生手段は、記録媒体に記録されている情報を再生する手段を備える、
ことを特徴とする請求項８、９又は１０に記載の再生装置。
【請求項１２】
前記再生手段は、双方向通信を行ってユーザの選択に応じた情報を受信して再生する手段を備える、
ことを特徴とする請求項８、９又は１０に記載の再生装置。
【請求項１３】
再生の過程でユーザの対話的な選択操作に応じて異なる内容を再生する外部再生装置による再生内容を記録媒体に記録させる記録装置において、
前記外部再生装置による再生内容を記録媒体に記録する記録手段と、
前記外部再生装置における選択画面の出力を検出し、その選択画面におけるユーザの選択操作を検出する選択検出手段と、
前記選択検出手段により選択画面が検出されると、前記記録手段の記録動作を停止させ、前記選択検出手段により選択操作が検出されると、前記記録手段の動作を再開させる記録制御手段とを備える、
ことを特徴とする記録装置。
【請求項１４】
前記選択検出手段は、選択時にメニュー画面に表示されるハイライト情報を検出することにより、選択画面の出力を検出する手段を備える、
ことを特徴とする請求項１３に記載の記録装置。
【請求項１５】
前記選択検出手段は、選択時におけるユーザの入力待ち状態を検出することにより、選択画面の出力を検出する手段を備える、
ことを特徴とする請求項１３に記載の記録装置。
【請求項１６】
再生の過程でユーザの対話的な選択操作に応じて異なる情報を再生する再生ステップと、
前記再生ステップにて再生した情報を記録媒体に記録する記録ステップと、
前記再生ステップにてユーザの対話的な操作を可能とするための選択画面が出力されたことを検出する選択画面検出ステップと、
前記再生ステップにて選択画面が出力されたのち、ユーザが選択操作を行ったことを検出する選択操作検出ステップと、
前記選択画面検出ステップにて選択画面が検出されると、前記記録ステップにおける記録動作を一時停止させ、前記選択操作検出ステップにて選択操作が検出されると、前記記録ステップにおける記録動作を再開させる記録制御ステップとを備える、
ことを特徴とする再生記録方法。
【請求項１７】
前記選択画面検出ステップは、前記再生ステップにおける選択時にメニュー画面に表示されるハイライト情報を検出することにより、選択画面の出力を検出する、
ことを特徴とする請求項１６に記載の再生記録方法。
【請求項１８】
前記選択画面検出ステップは、前記再生ステップでの選択時におけるユーザの入力待ち状態を検出することにより、選択画面の出力を検出する、
ことを特徴とする請求項１６に記載の再生記録方法。
【発明の詳細な説明】
【０００１】
【発明の属する技術分野】
この発明は、記録媒体に記録されている情報をインタラクティブつまり対話的に再生した内容を、他の記録媒体に記録するためのシステムに係り、特に複数のストーリーから対話的操作により再生するストーリーを選択して再生し、記録するための再生記録システム、再生装置、記録装置および再生記録方法に関する。
【０００２】
【従来の技術】
従来、ＤＶＤ−ビデオ（Ｄｉｇｉｔａｌ  Ｖｅｒｓａｔｉｌｅ  Ｄｉｓｃ−Ｖｉｄｅｏ）システムまたは現在規格化されつつあるＤＶＤ−オーディオ（ＤＶＤ−Ａｕｄｉｏ）システム等においては、インタラクティブな環境下で選択可能な複数のストーリーを含む再生データをＤＶＤに記録することができる。再生時には、選択肢を示すメニュー選択画面においてユーザが選択した選択肢に応じて、複数のストーリーのうちの所定のストーリーが再生される。
【０００３】
こうしたインタラクティブな再生を可能とするＤＶＤには、その再生対象となるビデオオブジェクトセット（ＶＴＳＴ−ＶＯＢＳ）およびこの管理情報であるビデオタイトルセット情報（ＶＴＳＩ）が格納されている。
ここで、ビデオオブジェクトセット（ＶＴＳＴ−ＶＯＢＳ）内には、ビデオ、オーディオ、および副映像（サブピクチャ）データが格納されている多数のデーターセルが配列されている。また、ビデオタイトルセット情報（ＶＴＳＩ）にはセルが集合として次々に再生されるプログラムを組み合わせたプログラムチェーン（ＰＧＣ）に関する管理情報がビデオタイトルセットＰＧＣテーブル（ＶＴＳ−ＰＧＣＩＴ）に記述されている。
【０００４】
このように構成することで、ユーザからの操作入力に応じてこのビデオタイトルセットＰＧＣテーブル（ＶＴＳ−ＰＧＣＩＴ）を参照して、プログラムチェーン（ＰＧＣ）の再生順序を変更することができ、さまざまな形態でプログラムチェーン（ＰＧＣ）を次々に再生することができる。
【０００５】
このような論理フォーマットを有するＤＶＤからデータを読み出す動作は、ディスク再生の開始により、システム制御部がシステム用ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）から初期動作プログラムを読み出し、ディスクドライブを作動させる。
【０００６】
ディスク再生を開始すると、ディスク上のリードイン領域から読み出し動作を開始し、続くボリューム管理領域からボリューム管理情報を読み出す。このボリューム管理情報の内容を、システムＣＰＵ（Ｃｅｎｔｒａｌ  Ｐｒｏｃｅｓｓｉｎｇ  Ｕｎｉｔ）を介してデータＲＡＭ部に一旦格納する。この情報から各ファイルの所在位置および記録容量等の情報、並びに管理に必要な情報を取り出して、システム用ＲＯＭおよびＲＡＭの所定の場所に転送格納する。この情報からディスク情報ファイルの管理情報、ディスク構成情報、メニュー構成情報、およびセル情報テーブルを読み出し、これらを利用してメニュー映像用データのシーケンス（タイトル）選択メニューを再生して画面に表示する。
【０００７】
ユーザは、表示されたメニュー画面に記述された選択番号等をもとにして、表示部を参照しつつキー操作を行うなどの選択操作を行って、再生を所望するシーケンス（タイトル）を指定する。このようにすることにより、選択したシーケンスが帰属するファイル番号およびファイル情報が特定され、再生される。
【０００８】
上述のＤＶＤのような、論理フォーマット等によりインタラクティブな環境下で選択可能な複数のストーリーに対応した再生データを記録している記録媒体を再生する場合には、メニュー画面にてユーザがストーリーを選択するシーケンスが再生過程に含まれていることが少なくない。
このような情報のインタラクティブな再生は、ＤＶＤだけでなく、他の光ディスクや磁気ディスク、あるいは大容量不揮発性メモリ媒体等の記録媒体でも可能であり、通常の記録媒体の再生に限らず、インターネット上のコンテンツ、あるいは双方向性の通信機能を含む放送等においても可能である。
【０００９】
例えば、特開平１１−３１３６２号公報等には、ＤＶＤ−ビデオシステムおよびそれを用いたオーディオ情報の記録について具体的に開示されている。
【００１０】
【発明が解決しようとする課題】
上述したように、インタラクティブな環境下で選択可能な複数のストーリーが記録された再生データを含む記録媒体を再生し、再生された映像、音声および副映像等の情報を他の記録媒体（例えば、ＣＤ−Ｒ（Ｃｏｍｐａｃｔ  Ｄｉｓｃ−Ｒｅｃｏｒｄａｂｌｅ）、ＤＶＤ−Ｒ（ＤＶＤ−Ｒｅｃｏｒｄａｂｌｅ）、ＤＶＤ−ＲＷ（ＤＶＤ−ＲｅＷｒｉｔａｂｌｅ）、ＤＶＤ−ＲＡＭ（ＤＶＤ−Ｒａｎｄｏｍ  Ａｃｃｅｓｓ  Ｍｅｍｏｒｙ）といったディスク状の記録媒体、あるいは、メモリースティック、ＳＤ（Ｓｅｃｕｒｅ  Ｄｉｇｉｔａｌ）メモリーカードといった携帯型のフラッシュメモリ等）に記録する場合、メニュー画面にてユーザがストーリーを選択する画面にて再生は停止状態になり、ユーザの入力を待つ形になる。
【００１１】
このとき、記録側はこの入力待ちの状態を無駄に記録し続けてしまうことになる。これを避けるためには、ユーザがメニュー画面を監視して、メニュー画面における素早い選択を強いられたり、メニュー画面において記録機器を停止（ＳＴＯＰ）または一時停止（ｐａｕｓｅ：ポーズ）状態にする動作を強いられることになってしまう。
【００１２】
この発明は、上述した事情に鑑みてなされたもので、情報を再生する過程での選択画面におけるユーザの対話的操作に応じて異なる内容を再生する再生情報を適切に記録することができる再生記録システム、再生装置、記録装置および再生記録方法を提供することを目的とする。
【００１３】
【課題を解決するための手段】
上記目的を達成するべく、この発明の第１の観点に係る再生記録システムは、
再生の過程でユーザの対話的な選択操作に応じて異なる情報を再生する再生手段と、
前記再生手段により再生された情報を記録媒体に記録する記録手段と、
前記再生手段によるユーザの対話的な選択操作を可能とするための選択画面が出力されたことを検出する選択画面検出手段と、
前記選択画面検出手段により選択画面が検出されると、その選択の間、前記記録手段の記録動作を一時停止させる記録制御手段とを備える、
ことを特徴とする。
【００１４】
この発明によれば、再生の過程でユーザの対話的な選択操作に応じた情報を再生して記録媒体に記録する際に、選択操作を可能とするための選択画面が出力されたことを検出して、ユーザが選択する間、記録動作を一時停止することができる。
これにより、ユーザが選択するまでの間に無駄な情報が記録媒体に記録されることを防止して、再生された情報を適切に記録することができる。
【００１５】
また、前記再生手段におけるユーザの選択操作を検出する選択操作検出手段を備え、
前記記録制御手段は、前記選択操作検出手段が選択操作を検出すると、前記記録手段の記録動作を再開させることが望ましい。
【００１６】
より具体的には、前記選択画面検出手段は、選択時にメニュー画面に表示されるハイライト情報を検出することにより、選択画面の出力を検出する手段を備えることが望ましい。
または、前記選択画面検出手段は、選択時におけるユーザの入力待ち状態を検出することにより、選択画面の出力を検出する手段を備えてもよい。
【００１７】
また、前記再生手段は、記録媒体に記録されている情報を再生する手段を備えることが望ましい。例えば、前記再生手段が再生する記録媒体はＤＶＤであることが望ましい。
【００１８】
また、前記再生手段は、双方向通信を行ってユーザの選択に応じた情報を受信して再生する手段を備えてもよい。
【００１９】
また、この発明の第２の観点に係る再生装置は、
外部記録装置を接続して再生内容を記録媒体に記録させる装置において、
再生の過程でユーザの対話的な選択操作に応じて異なる内容を再生する再生手段と、
前記再生手段におけるユーザの選択画面の出力を検出し、その選択画面におけるユーザの選択操作を検出する選択検出手段と、
前記選択検出手段により選択画面が検出されると、前記外部記録装置による前記再生手段の再生内容を記録する動作を停止させ、前記選択検出手段により選択操作が検出されると前記外部記録装置による記録動作を再開させる記録制御手段とを備える、
ことを特徴とする。
【００２０】
この発明によれば、再生の過程でユーザの対話的な選択操作に応じた情報を再生して記録媒体に記録する際に、選択操作を可能とするための選択画面が出力されたことを検出して、ユーザが選択する間、記録動作を一時停止することができる。さらに、ユーザが選択操作を行うと、これを検出して記録動作を再開させることができる。
これにより、ユーザが選択するまでの間に無駄な情報が記録媒体に記録されることを防止して、再生された情報を適切に記録することができる。
【００２１】
より具体的には、前記選択検出手段は、選択時にメニュー画面に表示されるハイライト情報を検出することにより、選択画面の出力を検出する手段を備えることが望ましい。
または、前記選択検出手段は、選択時におけるユーザの入力待ち状態を検出することにより、選択画面の出力を検出する手段を備えてもよい。
【００２２】
また、前記再生手段は、記録媒体に記録されている情報を再生する手段を備えることが望ましい。
または、前記再生手段は、双方向通信を行ってユーザの選択に応じた情報を受信して再生する手段を備えてもよい。
【００２３】
また、この発明の第３の観点に係る記録装置は、
再生の過程でユーザの対話的な選択操作に応じて異なる内容を再生する外部再生装置による再生内容を記録媒体に記録させる装置において、
前記外部再生装置による再生内容を記録媒体に記録する記録手段と、
前記外部再生装置における選択画面の出力を検出し、その選択画面におけるユーザの選択操作を検出する選択検出手段と、
前記選択検出手段により選択画面が検出されると、前記記録手段の記録動作を停止させ、前記選択検出手段により選択操作が検出されると、前記記録手段の動作を再開させる記録制御手段とを備える、
ことを特徴とする。
【００２４】
この発明によっても、再生の過程でユーザの対話的な選択操作に応じた情報を再生して記録媒体に記録する際に、選択操作を可能とするための選択画面が出力されたことを検出して、ユーザが選択する間、記録動作を一時停止することができる。さらに、ユーザが選択操作を行うと、これを検出して記録動作を再開させることができる。
これにより、ユーザが選択するまでの間に無駄な情報が記録媒体に記録されることを防止して、再生された情報を適切に記録することができる。
【００２５】
より具体的には、前記選択検出手段は、選択時にメニュー画面に表示されるハイライト情報を検出することにより、選択画面の出力を検出する手段を備えることが望ましい。
または、前記選択検出手段は、選択時におけるユーザの入力待ち状態を検出することにより、選択画面の出力を検出する手段を備えてもよい。
【００２６】
また、この発明の第４の観点に係る再生記録方法は、
再生の過程でユーザの対話的な選択操作に応じて異なる情報を再生する再生ステップと、
前記再生ステップにて再生した情報を記録媒体に記録する記録ステップと、
前記再生ステップにてユーザの対話的な操作を可能とするための選択画面が出力されたことを検出する選択画面検出ステップと、
前記再生ステップにて選択画面が出力されたのち、ユーザが選択操作を行ったことを検出する選択操作検出ステップと、
前記選択画面検出ステップにて選択画面が検出されると、前記記録ステップにおける記録動作を一時停止させ、前記選択操作検出ステップにて選択操作が検出されると、前記記録ステップにおける記録動作を再開させる記録制御ステップとを備える、
ことを特徴とする。
【００２７】
より具体的には、前記選択画面検出ステップは、前記再生ステップにおける選択時にメニュー画面に表示されるハイライト情報を検出することにより、選択画面の出力を検出することが望ましい。
また、前記選択画面検出ステップは、前記再生ステップでの選択時におけるユーザの入力待ち状態を検出することにより、選択画面の出力を検出してもよい。
【００２８】
【発明の実施の形態】
以下に、図面を参照して、この発明の実施の形態に係る再生記録システムについて説明する。
【００２９】
（第１の実施の形態）
図１は、この発明の第１の実施の形態に係る再生記録システムの構成の一例を示す図である。
図示するように、この再生記録システムは、ＤＶＤ（Ｄｉｇｉｔａｌ  Ｖｅｒｓａｔｉｌｅ  Ｄｉｓｃ）プレーヤ１およびＣＤ−Ｒ（Ｃｏｍｐａｃｔ  Ｄｉｓｃ−Ｒｅｃｏｒｄａｂｌｅ）装置２を備えている。
【００３０】
ＤＶＤプレーヤ１は、ＤＶＤに記録された情報をユーザの対話的な操作に応じて再生するためのものであり、ＤＶＤ再生部１１と、操作入力部１２と、システムＣＰＵ（Ｃｅｎｔｒａｌ  Ｐｒｏｃｅｓｓｉｎｇ  Ｕｎｉｔ）１３とを備えている。
【００３１】
ＤＶＤ再生部１１は、光ピックアップ、サーボモータ、ターンテーブル等から構成され、ＤＶＤに記録されている情報を再生する。
【００３２】
操作入力部１２は、キーパッド、リモコンモジュール等から構成され、ユーザの操作によりＤＶＤ再生部１１の再生手順を指示する命令を入力し、ＤＶＤ再生部１１がＤＶＤから再生した画像を用いて、情報のインタラクティブな再生を可能とする。
【００３３】
システムＣＰＵ１３は、ＣＰＵ及び周辺ＬＳＩ（Ｌａｒｇｅ  Ｓｃａｌｅ  Ｉｎｔｅｇｒａｔｉｏｎ）を含んだ１チップマイコン等から構成され、ＤＶＤ再生部１１によるＤＶＤの再生を制御するためのものであり、選択画面／操作検出部１３１と、記録停止／再開制御部１３２とを備えている。
【００３４】
選択画面／操作検出部１３１は、ＤＶＤ再生部１１がＤＶＤからユーザによる選択のための画像を再生したことを検出するとともに、ＤＶＤ再生部１１を介して、操作入力部１２によりユーザが選択のための操作を行ったことを検出する。
【００３５】
記録停止／再開制御部１３２は、選択画面／操作検出部１３１が選択のための画像が再生されたことを検出すると、画面（図示せず）に選択のための画像が表示されてからユーザが選択のための操作を完了するまでの間、ＣＤ−Ｒ装置２による記録動作を停止させる。すなわち、記録停止／再開制御部１３２は、選択画面／操作検出部１３１により選択画面が検出されると、システムコントロールラインを介してＣＤ−Ｒ装置２に制御指令を与え、ＣＤ−Ｒ装置２による記録動作を停止させ、選択画面／操作検出部１３１により選択操作が検出されると記録動作を再開させる。
【００３６】
ＣＤ−Ｒ装置２は、書き込み可能で且つこの場合消去および再書き込み不可能なＣＤ−Ｒに、ＤＶＤプレーヤ１により再生された情報を記録するためのものであり、システムＣＰＵ２１と、ＣＤ−Ｒ記録部２２とを備えている。
【００３７】
システムＣＰＵ２１は、ＣＰＵ及び周辺ＬＳＩを含んだ１チップマイコン等から構成され、ＣＤ−Ｒ記録部２２によるＣＤ−Ｒへの情報の書き込み動作を制御するためのものであり、記録動作制御部２１１を備えている。
ここで、システムＣＰＵ２１は、ＤＶＤプレーヤ１のシステムＣＰＵ１３とシステムコントロールラインにより接続されており、記録動作制御部２１１は、記録停止／再開制御部１３２の制御に応じて、ＣＤ−Ｒ記録部２２によるＣＤ−Ｒへの書き込み動作を停止／再開する。
【００３８】
なお、図１には、ＤＶＤプレーヤ１の機能からみた構成を示しているが、ＤＶＤプレーヤ１は、具体的には図２に示すように構成されている。
すなわち、ＤＶＤプレーヤ１は、ディスクドライブ１Ａと、システム制御部１Ｂと、システムメモリ１Ｃと、キー操作／表示部１Ｄと、システムＣＰＵ１Ｅと、データＲＡＭ１Ｆと、ビデオデコーダ１Ｇと、オーディオデコーダ１Ｈと、副映像デコーダ１Ｊと、再生処理部１Ｋと、表示モニタ部１Ｌと、スピーカ１Ｍ、１Ｎとを備えている。
【００３９】
ディスクドライブ１Ａは、ＤＶＤの回転駆動部および光ピックアップ部等から構成され、セットされたＤＶＤ１００をアクセスして記録情報を読み出す。
【００４０】
システム制御部１Ｂは、マイクロプロセッサ等から構成され、ディスクドライブ１ＡによるＤＶＤの再生動作を制御する。
【００４１】
システムメモリ１Ｃは、システム用ＲＯＭおよびＲＡＭ等から構成され、システム制御部１Ｂ及びシステムＣＰＵ１Ｅの動作を規定するプログラムを格納するためのものである。
【００４２】
キー操作／表示部１Ｄは、システム制御部１Ｂにより制御され、ＤＶＤ１００から再生された画像データに応じた画面を表示しつつ、ユーザ操作による選択のための命令等を入力するためのものである。
【００４３】
システムＣＰＵ１Ｅは、マイクロプロセッサ等から構成され、システム制御部１Ｂに応答し、ディスクドライブ１Ａを介してＤＶＤ１００から読み出された情報をビデオデータ、オーディオデータ、副映像データに分離してデコード再生に供するためのものである。
この際、システムＣＰＵ１Ｅは、ＣＤ−Ｒ装置２に再生データを伝送し、且つシステムコントロールラインを介してＣＤ−Ｒ装置２との間で制御情報を送受信する。
【００４４】
データＲＡＭ１Ｆは、ＤＶＤ１００から再生されたデータを一時的に記憶して、システムＣＰＵ１Ｅにおける処理に供するためのものである。
【００４５】
ビデオデコーダ１Ｇは、システムＣＰＵ１Ｅから与えられるビデオ再生データをデコードして再生処理部１Ｋに供給する。
【００４６】
オーディオデコーダ１Ｈは、システムＣＰＵ１Ｅから与えられるオーディオ再生データをデコードして再生処理部１Ｋに供給する。
【００４７】
副映像デコーダ１Ｊは、システムＣＰＵ１Ｅから与えられるサブピクチャの再生データをデコードして再生処理部１Ｋに供給する。
【００４８】
再生処理部１Ｋは、ビデオデコーダ１Ｇ、オーディオデコーダ１Ｈ、および副映像デコーダ１Ｊから与えられるビデオ（映像）、オーディオ（音声）およびサブピクチャ（副映像）のデコードされた再生情報を適宜組み合わせて、表示モニタ部１Ｌ、スピーカ１Ｍおよび１Ｎにより再生させる。
【００４９】
すなわち、図２のキー操作／表示部１Ｄは、図１における操作入力部１２にほぼ相当し、図２のシステムＣＰＵ１Ｅは、図１におけるシステムＣＰＵ１３にほぼ相当し、図２のそれ以外の部分が、図１におけるＤＶＤ再生部１１にほぼ相当する。したがって、図１における選択画面／操作検出部１３１および記録停止／再開制御部１３２は、図２のシステムＣＰＵ１Ｅの機能として含まれる。
【００５０】
次に、上記構成を有する再生記録システムの動作について説明する。
この再生記録システムは、ユーザの操作に応じたインタラクティブな再生により得られた情報を記録媒体に記録する際、ユーザの選択のための画像が再生されたことを検出して記録媒体への記録動作を自動的に一時停止することで、記録媒体に無駄なく情報を記録することができるシステムである。
【００５１】
ここで、ＤＶＤプレーヤ１が再生するＤＶＤ１００には、図４に示すようなファイル構造を持つビデオタイトルセット（ＶＴＳ）を含んだ情報が、図５に示す論理ブロックに従って記録されている。まず、これらファイル構造および論理ブロックについて説明する。
【００５２】
ＤＶＤ−ビデオまたはＤＶＤ−オーディオのようなインタラクティブな環境下で選択可能な複数のストーリーが記録された再生データを持つ記録媒体には、図４に示すようなファイル構造により再生手順等の管理がなされる実体データであるビデオオブジェクトセット（ＶＴＳＴ−ＶＯＢＳ）およびその管理情報となるビデオタイトルセット情報（ＶＴＳＩ）が格納されている。
ここで、ビデオオブジェクトセット（ＶＴＳＴ−ＶＯＢＳ）内には、ビデオデータ、オーディオデータ、および副映像（サブピクチャ）データの各データが格納されている多数のデータセルが配列されている。
また、ビデオタイトルセット情報（ＶＴＳＩ）のビデオタイトルセットＰＧＣテーブル（ＶＴＳ−ＰＧＣＩＴ）には、セルの集合を次々に再生するためのプログラムを組み合わせたプログラムチェーン（ＰＧＣ）に関する管理情報が記述されている。
【００５３】
ＤＶＤプレーヤ１は、ユーザによる操作入力に応じて、ＤＶＤ１００のビデオタイトルセットＰＧＣ情報テーブル（ＶＴＳ−ＰＧＣＩＴ）を参照することにより、プログラムチェーン（ＰＧＣ）の再生順序を変更することができ、種々のパターンでプログラムチェーン（ＰＧＣ）を次々に再生することができる。
【００５４】
このような再生データを含むＤＶＤ１００は、図５に示すような論理フォーマットで記録されている。
【００５５】
すなわち、ＤＶＤ１００には、リードインエリア、システムエリアが設けられると共にボリューム管理情報が記録され、これらによりボリューム管理情報領域を構成している。
【００５６】
そして、ＤＶＤ１００には、ボリューム管理情報領域に次いで、ディスク情報ファイルを格納するファイル０が格納され、さらにムービーファイルおよび音楽ファイル、またはそれらの一方であるファイル１〜ファイル９９が所要個数配置され、最後にリードアウトエリアが配置される。
これらファイル０〜ファイル９９およびリードアウトエリアにより、ファイル領域を構成している。
【００５７】
図２に示すように構成されたＤＶＤプレーヤ１は、上記のような論理フォーマットを有するＤＶＤ１００からデータを読み出す。
【００５８】
より詳細には、ＤＶＤ１００の再生が開始されると、システム制御部１Ｂは、システムメモリ１Ｃから初期動作プログラムを読み出し、ディスクドライブ１Ａを作動させる。
【００５９】
ディスクドライブ１Ａは、ＤＶＤ１００のリードインエリアから読み出し動作を開始して、ボリューム管理情報領域からボリューム管理情報を読み出す。ディスクドライブ１Ａにより読み出されたボリューム管理情報の内容は、システムＣＰＵ１Ｅを介してデータＲＡＭ１Ｆに送られて一旦格納される。
【００６０】
システムＣＰＵ１Ｅは、このボリューム管理情報から各ファイルの位置や記録容量等の情報およびその他の管理に必要な情報を抽出して、システムメモリ１Ｃの所定の領域に転送保存する。この情報に基づいて、システム制御部１Ｂ及びシステムＣＰＵ１Ｅは、ディスク情報ファイルの管理情報、ディスク構成情報、メニュー構成情報およびセル情報テーブルを読み出す。そして、システムＣＰＵ１Ｅは、これらの情報を用いてメニュー映像用データのシーケンス（タイトル）選択メニューを、ビデオデコーダ１Ｇ、オーディオデコーダ１Ｈ、副映像デコーダ１Ｊおよび再生処理部１Ｋを介して再生し、表示モニタ部１Ｌの画面に表示する。
ユーザは再生シーケンス（タイトル）の選択用の画像が表示されたメニュー画面の選択肢を見ながら、対話的にキー操作／表示部１Ｄを操作して、所望の選択肢を指定する。この操作により選択したシーケンスに対応するファイル番号およびファイル情報が特定され、再生に供される。
【００６１】
上述したような論理フォーマットを有するＤＶＤ１００においては、メニュー画面にてユーザに選択を要求する場合、メニュー主映像、サブピクチャーおよびハイライト情報を重畳して組合わせ、メニュー画面を構成することが多い。
【００６２】
そこで、ＤＶＤプレーヤ１は、ＤＶＤ１００から再生したデータをＣＤ−Ｒ装置２といった記録機器によりＣＤ−Ｒ等の記録媒体に記録させる際に、ユーザに再生データを選択させるためのメニュー画面が表示されたことを検出する。
【００６３】
より具体的には、ＤＶＤ再生部１１がＤＶＤ１００において実体データを記録したビデオオブジェクトセット（ＶＴＳＴ−ＶＯＢＳ）内の所定の位置に記録されているハイライト情報（ＨＬＩ）を読み出してメニュー画面上にサブピクチャーと共に表示すると、選択画面／操作検出部１３１がこれを検出する。
ここで、ハイライト情報（ＨＬＩ）は、ビデオオブジェクトユニット（ＶＯＢＵ）の再生を制御するナビゲーションデータとなる再生制御情報であるプログラムチェーンインフォメーション（ＰＣＧＩ）に含まれている。また、このプログラムチェーンインフォメーション（ＰＧＣＩ）は、ビデオオブジェクトセット（ＶＴＳＴ＿ＶＯＢＳ）内の所定の位置に設けられたナビゲーションパック（ＮＶ−ＰＣＫ）におけるＰＣＩ（プログラムチェーンインフォメーション）パケットに記述されている。
【００６４】
記録停止／再開制御部１３２は、選択画面／操作検出部１３１がメニュー画面が表示されたことを検出すると、ＣＤ−Ｒ装置２のシステムＣＰＵ２１に対してシステムコントロールラインを介してポーズ命令を与える。
【００６５】
システムＣＰＵ２１は、システムコントロールラインを介してＤＶＤプレーヤ１からポーズ命令を受けると、記録動作制御部２１１がＣＤ−Ｒ記録部２２の記録動作を一時停止させる。
【００６６】
ＤＶＤプレーヤ１のシステムＣＰＵ１３は、ユーザがメニュー画面にて再生を所望するシーケンス（タイトル）を選択すると、選択画面／操作検出部１３１がそれを検出し、記録停止／再開制御部１３２がＣＤ−Ｒ装置２のシステムＣＰＵ２１に対して記録再開命令を送る。
【００６７】
ここで、図６は、メニュー画面の概念図であり、主映像とサブピクチャとハイライト情報とを、重ね合わせた混合映像としてメニュー画面を構成する様子を模式的に示している。
選択画面／操作検出部１３１は、このメニュー画面内のハイライト情報を検出することによりメニューによる選択画面が出力されたことを検出する。
【００６８】
次に、再生記録システムにおける具体的な動作を説明する。図３に示すフローチャートは、主としてＤＶＤプレーヤ１のシステムＣＰＵ１３を中心とする動作を示している。
【００６９】
ＤＶＤプレーヤ１が再生したデータをＣＤ−Ｒ装置２が記録媒体であるＣＤ−Ｒに記録するための動作を開始すると、まず、ＤＶＤプレーヤ１のシステムＣＰＵ１３は、ＤＶＤ再生部１１がＤＶＤ１００から読み出してシステムメモリ１Ｃに格納したファイル管理情報を読み込む（ステップＳ１１）。
【００７０】
そして、システムＣＰＵ１３は、そのファイル管理情報内の各種のデータを取得して（ステップＳ１２）、再生すべきシーケンス種別を判定する（ステップＳ１３）。
また、システムＣＰＵ１３は、シーケンス制御情報に基づいて次に再生すべきセル番号を得て該当するセル番号のセルを抽出して再生に供する（ステップＳ１４）。
【００７１】
次に、システムＣＰＵ１３は、再生すべきシーケンスを終了したか否かを判別し（ステップＳ１５）、終了でないと判別すると（ステップＳ１５にてＮＯ）、抽出したセルがメニューセルか否かを判別する（ステップＳ１６）。
【００７２】
システムＣＰＵ１３は、抽出したセルがメニューセルでないと判別すると（ステップＳ１６にてＮＯ）、処理をステップＳ１４にリターンして、シーケンス情報に基づく次の再生セルを抽出／再生する。
【００７３】
一方、システムＣＰＵ１３は、抽出したセルがメニューセルであると判別すると（ステップＳ１６にてＹＥＳ）、ハイライト情報（ＨＬＩ）を取得したことを確認して（ステップＳ１７）、ＣＤ−Ｒ装置２のシステムＣＰＵ２１にポーズ命令つまり一時停止命令を送信する（ステップＳ１８）。
これにより、ＤＶＤプレーヤ１は、ユーザが再生データを選択するためのメニュー画面を表示した時点でＣＤ−Ｒ装置２での記録動作を一時停止させることができる。
【００７４】
ＤＶＤ再生部１１は、このメニュー画面を表示したままの状態で、再生を停止して、ユーザによる選択操作の入力待ちとなり（ステップＳ１９）、システムＣＰＵ１３は、ＣＤ−Ｒ装置２からの応答信号を受信して、記録動作が停止されていることを確認する（ステップＳ２０）。
【００７５】
この後、ユーザが操作入力部１２を用いて再生データを選択すると（ステップＳ２１）、再生すべきデータに対応するシーケンス番号を特定し（ステップＳ２２）、ファイル管理情報からユーザにより指定されたシーケンス情報を取得する（ステップＳ２３）。
【００７６】
ＤＶＤ再生部１１は、このシーケンス情報に従って次に再生するセル番号のセルを抽出する（ステップＳ２４）。この際、システムＣＰＵ１３は、ＣＤ−Ｒ装置２に記録再開命令を送信して、ＣＤ−Ｒ装置２が記録動作を再開した旨を示す応答信号を受信する（ステップＳ２５）。
【００７７】
システムＣＰＵ１３は、取り出したセルを再生し（ステップＳ２６）、ステップＳ１６に戻ってメニューセルか否かを判別する。
【００７８】
なお、上記ステップＳ１５でシーケンスが終了したと判別すると、システムＣＰＵ１３は、所定の終了シーケンスを実行して（ステップＳ２７）、ＤＶＤプレーヤ１の再生動作及びＣＤ−Ｒ装置２の記録動作を停止した後、処理を終了する。
【００７９】
このような動作により、ハイライト情報を読み込み、メニュー画面上にサブピクチャーと共に表示した時点で、ＤＶＤプレーヤ１は、ＣＤ−Ｒ装置２に対してポーズ命令を送信し、ＣＤ−Ｒ装置２の記録動作を一時停止させる。そして、ユーザがメニュー画面にて再生すべきシーケンスを選択すると、ＤＶＤプレーヤ１からＣＤ−Ｒ装置２に記録再開命令を送って記録動作を再開させる。
【００８０】
こうして、メニュー画面による入力待ちの状態は、ＣＤ−Ｒ装置２により、記録媒体であるＣＤ−Ｒに記録されることなく、選択操作に応答して記録が再開される。
【００８１】
以上の説明のように、この再生記録システムによれば、インタラクティブな環境下で選択可能な複数のストーリーが記録された再生データを持つ記録媒体を再生し、再生された映像、音声および副映像を、ＣＤ−Ｒ等の記録媒体に記録する場合、メニュー画面でストーリー選択のボタン等の画面に付随するハイライトが出た時点で記録側の動作がポーズ状態になる。したがって、ユーザの入力を待っている状態にあるときに、記録側が記録動作を続けてしまうことがなくなり、ユーザは、通常の選択操作を行えば、記録媒体に無駄なく再生データを記録することができる。
また、ユーザがメニュー画面にてストーリーを選択した時点で記録は再度開始されるので、続きをそのまま継続して切れ目無く記録することができる。
【００８２】
（第２の実施の形態）
図７は、この発明の第２の実施の形態に係る再生記録システムの構成を示す図である。
図示するように、この再生記録システムは、上記第１の実施の形態における再生記録システムのＤＶＤプレーヤ１に代えてＤＶＤプレーヤ１’を設けたものである。
【００８３】
ＤＶＤプレーヤ１’は、図１と同様のＤＶＤ再生部１１および操作入力部１２を有し、さらに上記第１の実施の形態におけるＤＶＤプレーヤ１が備えるシステムＣＰＵ１３とは若干異なるシステムＣＰＵ１４を有している。
【００８４】
すなわち、ＤＶＤプレーヤ１’のシステムＣＰＵ１４は、入力待ち／操作検出部１４１と、記録停止／再開制御部１４２とを備えている。
【００８５】
入力待ち／操作検出部１４１は、ＤＶＤ再生部１１におけるユーザの選択操作入力の入力待ち状態を検出するとともに、ＤＶＤ再生部１１を介して操作入力部１２による選択画面に対するユーザの選択操作を検出する。
【００８６】
記録停止／再開制御部１４２は、図１の記録停止／再開制御部１３２と同様に、入力待ち／操作検出部１４１により選択画面による入力待ち状態が検出されると、ユーザによる選択操作が完了するまでの間のＣＤ−Ｒ装置２による記録動作を停止させる。
すなわち、記録停止／再開制御部１４２は、入力待ち／操作検出部１４１により入力待ち状態が検出されると、システムコントロールラインを介してＣＤ−Ｒ装置２に制御指令を与え、ＣＤ−Ｒ装置２による記録動作を停止させ、入力待ち／操作検出部１４１により選択操作が検出されると記録動作を再開させる。
【００８７】
このような構成を有するこの発明の第２の実施の形態に係る再生記録システムの動作を、図８に示すフローチャートを参照して説明する。図８に示すフローチャートは、主としてＤＶＤプレーヤ１’のシステムＣＰＵ１４を中心とする動作を示している。
【００８８】
ＤＶＤプレーヤ１’が再生したデータをＣＤ−Ｒ装置２が記録媒体であるＣＤ−Ｒに記録するための動作を開始すると、まず、ＤＶＤプレーヤ１’のシステムＣＰＵ１４は、ＤＶＤ再生部１１がＤＶＤ１００から読み出してシステムメモリ１Ｃに格納したファイル管理情報を読み込む（ステップＳ３１）。
【００８９】
そして、システムＣＰＵ１４は、そのファイル管理情報内の各種のデータを取得して（ステップＳ３２）、再生すべきシーケンス種別を判定する（ステップＳ３３）。
また、システムＣＰＵ１４は、シーケンス制御情報に基づいて次に再生すべきセル番号を得て該当するセル番号のセルを抽出して再生に供する（ステップＳ３４）。
【００９０】
次に、システムＣＰＵ１４は、再生すべきシーケンスを終了したか否かを判別し（ステップＳ３５）、終了でないと判別すると（ステップＳ３５にてＮＯ）、抽出したセルがメニューセルか否かを判別する（ステップＳ３６）。
【００９１】
システムＣＰＵ１４は、抽出したセルがメニューセルでないと判別すると（ステップＳ３６にてＮＯ）、処理をステップＳ３４にリターンして、シーケンス情報に基づく次の再生セルを抽出／再生する。
【００９２】
一方、システムＣＰＵ１４は、抽出したセルがメニューセルであると判別すると（ステップＳ３６にてＹＥＳ）、ＤＶＤ再生部１１を制御して、このメニュー画面を表示したままの状態で再生を停止させ、ユーザによる選択操作の入力待ちとなる（ステップＳ３７）。この際、システムＣＰＵ１４は、ＣＤ−Ｒ装置２のシステムＣＰＵ２１にポーズ命令つまり一時停止命令を送信する（ステップＳ３８）。
これにより、ＤＶＤプレーヤ１’は、ユーザが再生データを選択するためのメニュー画面を表示した時点でＣＤ−Ｒ装置２の記録動作を一時停止させることができる。
【００９３】
そして、システムＣＰＵ１４は、ＣＤ−Ｒ装置２からの応答信号を受信して、記録動作が停止されていることを確認する（ステップＳ３９）。
【００９４】
この後、ユーザが操作入力部１２を用いて再生データを選択すると（ステップＳ４０）、再生すべきデータに対応するシーケンス番号を特定し（ステップＳ４１）、ファイル管理情報からユーザにより指定されたシーケンス情報を取得する（ステップＳ４２）。
【００９５】
ＤＶＤ再生部１１は、このシーケンス情報に従って次に再生するセル番号のセルを抽出する（ステップＳ４３）。この際、システムＣＰＵ１４は、ＣＤ−Ｒ装置２に記録再開命令を送信して（ステップＳ４４）、ＣＤ−Ｒ装置２が記録動作を再開した旨を示す応答信号を受信する（ステップＳ４５）。
【００９６】
システムＣＰＵ１４は、取り出したセルを再生し（ステップＳ４６）、ステップＳ３６に戻ってメニューセルか否かを判定する。
【００９７】
なお、上記ステップＳ３５でシーケンス終了と判定すると、所定の終了シーケンスを実行して（ステップＳ４７）、ＤＶＤプレーヤ１’の再生動作及びＣＤ−Ｒ装置２の記録動作を停止した後、処理を終了する。
【００９８】
このように、この発明の第２の実施の形態に係る再生記録システムは、ハイライト情報の検出ではなく、ユーザオペレーションの入力待ち状態を検出して、ＤＶＤプレーヤ１’からＣＤ−Ｒ装置２にポーズ命令を送信し、ＣＤ−Ｒ装置２の記録動作を一時停止させる。そして、ユーザがメニュー画面にて再生すべきシーケンス（タイトル）を選択すると、ＤＶＤプレーヤ１’からＣＤ−Ｒ装置２に記録再開命令を送って記録動作を再開させる。
【００９９】
（第３の実施の形態）
上記第１及び第２の実施の形態では、メニュー選択画面の検出および記録停止／再開制御を行う選択画面／操作検出部１３１及び入力待ち／操作検出部１４１と記録停止／再開制御部１３２、１４２を、再生側であるＤＶＤプレーヤ１及びＤＶＤプレーヤ１’に設けるものとして説明したが、図９に示すように、記録側であるＣＤ−Ｒ装置４に設けてもよい。
【０１００】
かかる構成を有するこの発明の第３の実施の形態による再生記録システムについて説明する。
【０１０１】
図９は、この発明の第３の実施の形態に係る再生記録システムの構成を示す図である。
図示するように、この再生記録システムは、ＤＶＤプレーヤ３およびＣＤ−Ｒ装置４を備えている。
【０１０２】
ＤＶＤプレーヤ３は、ＤＶＤ１００の対話的な再生を行うためのものであり、ＤＶＤ再生部３１、操作入力部３２およびシステムＣＰＵ３３を有している。
【０１０３】
ＤＶＤ再生部３１は、ＤＶＤ１００の再生を行う。操作入力部３２は、ユーザの操作によりＤＶＤ再生部３１へ所要情報を入力を入力し、ユーザのＤＶＤ再生部３１による再生画面を用いた対話的操作を可能とする。ＤＶＤプレーヤ３のシステムＣＰＵ３３は、ＤＶＤ再生部３１によるＤＶＤの再生を制御する。
【０１０４】
ＣＤ−Ｒ装置４は、書き込み可能で且つこの場合消去および再書き込み不可能なＣＤ−Ｒに、ＤＶＤプレーヤ３により再生された情報を記録するためのものであり、システムＣＰＵ４１と、ＣＤ−Ｒ記録部４２とを備えている。
【０１０５】
システムＣＰＵ４１は、ＣＰＵ及び周辺ＬＳＩを含んだ１チップマイコン等から構成され、ＣＤ−Ｒ記録部４２によるＣＤ−Ｒへの情報の書き込み動作を制御するためのものであり、選択画面／操作検出部４１１と、記録停止／再開制御部４１２と、記録動作制御部４１３とを備えている。
【０１０６】
選択画面／操作検出部４１１は、ＤＶＤプレーヤ３における選択画面の出力を検出するとともに、ＤＶＤ再生部３１およびシステムＣＰＵ３３を介して操作入力部３２による選択画面に対するユーザの選択操作を検出する。
【０１０７】
記録停止／再開制御部４１２は、選択画面／操作検出部４１１により選択画面が検出されると、選択画面が表示されてからユーザによる選択操作が完了するまでの間、記録動作制御部４１３を介してＣＤ−Ｒ装置４における記録動作を停止させる。
すなわち、記録停止／再開制御部４１２は、選択画面／操作検出部４１１により選択画面が検出されると、記録動作制御部４１３に制御指令を与え、ＣＤ−Ｒ装置４による記録動作を停止させ、選択画面／操作検出部４１１により選択操作が検出されると記録動作を再開させる。
【０１０８】
このようにしても、機能的には、図１の場合と同様のシステムを構成することができる。
【０１０９】
以上の説明のように、この発明によれば、記録媒体に記録されている情報をインタラクティブな環境下でユーザの選択に応じて再生し、他の記録媒体に記録する際に、ユーザの選択を待つ間、記録動作を一時停止して、無駄なデータを記録することを防止できる。
これにより、ユーザの選択に応じて記録媒体から再生した情報を他の記録媒体に適切に記録することができる。
【０１１０】
この発明は、上記実施の形態に限定されず、様々な変形及び応用が可能である。
例えば、上記実施の形態では、ＤＶＤプレーヤがＤＶＤから再生した情報を記録する場合について説明したが、他の光ディスク媒体、磁気ディスク媒体、およびメモリ媒体等を用いても上述と同様に実施することができる。
【０１１１】
また、記録媒体の再生に限らず、双方向性の通信手段を介してインタラクティブな再生を行うものであれば、ＣＡＴＶのような放送による受信再生、またインターネットを介してのコンテンツ再生のような再生手段についても上述と同様にして実施することができる。
すなわち、この場合、例えば図１０に示すように、双方向のデータ通信を行って、情報のインタラクティブな再生を行う通信処理部５１を備えた再生装置５を設ける。そして、この再生装置５は、上記実施の形態におけるシステムＣＰＵ１３または１４または３３と同様に構成したシステムＣＰＵ５３を備え、ＣＤ−Ｒ装置６は、上記実施の形態におけるシステムＣＰＵ２１または４１と同様に構成したシステムＣＰＵ６１を備えて再生・記録動作を制御することにより、ユーザの選択に応じて受信した情報を記録媒体に記録することができる。
なお、図１０に示す再生記録システムにおいて、操作入力部５２は、上記実施の形態における操作入力部１２、３２と同一であり、ＣＤ−Ｒ記録部６２は、上記実施の形態におけるＣＤ−Ｒ記録部２２，４２と同一である。
【０１１２】
また、再生された情報を記録する記録媒体としても、ＣＤ−Ｒに限らず、ＣＤ−ＲＷ（ＣＤ−ＲｅＷｒｉｔａｂｌｅ）、ＤＶＤ−Ｒ（ＤＶＤ−Ｒｅｃｏｒｄａｂｌｅ）、ＤＶＤ−ＲＷ（ＤＶＤ−ＲｅＷｒｉｔａｂｌｅ）、ＤＶＤ−ＲＡＭ（ＤＶＤ−Ｒａｎｄｏｍ  Ａｃｃｅｓｓ  Ｍｅｍｏｒｙ）、ＭＤ（Ｍｉｎｉ  Ｄｉｓｃ）、およびＭＯ（Ｍａｇｎｅｔｏ−Ｏｐｔｉｃａｌ）ディスク等のディスク媒体、ＰＣ（パーソナルコンピュータ）メモリカード等と称されるメモリ媒体、スモールカード（具体的には、スマートメディア、コンパクトフラッシュ等）等と称されるメモリ媒体、並びにメモリースティック、ＳＤ（Ｓｅｃｕｒｅ  Ｄｉｇｉｔａｌ）メモリーカード等の携帯型のフラッシュメモリを備えた小型メモリ媒体を用いるようにしてもよい。
【０１１３】
【発明の効果】
以上説明したように、この発明によれば、情報を再生する過程での選択画面におけるユーザの対話的操作に応じて異なる内容を再生して他の記録媒体に記録する際に、ユーザの選択を待つ間に無駄な情報を記録することを防止して適切に記録することが可能な再生記録システム、再生装置、記録装置および再生記録方法を提供することができる。
【図面の簡単な説明】
【図１】この発明の第１の実施の形態に係る再生記録システムの構成を模式的に示すブロック図である。
【図２】図１の再生記録システムにおけるＤＶＤプレーヤの具体的な構成を説明するための模式図である。
【図３】図１の再生記録システムにおける動作を説明するためのフローチャートである。
【図４】図１の再生記録システムにおける動作を説明するためのＤＶＤのビデオタイトルセット（ＶＴＳ）のファイル構造の概略を説明するための模式図である。
【図５】図１の再生記録システムにおける動作を説明するためのＤＶＤの論理ブロックフォーマットの概念を説明するための模式図である。
【図６】図１の再生記録システムにおけるメニュー選択画面の構成の概念を説明するための模式図である。
【図７】この発明の第２の実施の形態に係る再生記録システムの構成を模式的に示すブロック図である。
【図８】図７の再生記録システムにおける動作を説明するためのフローチャートである。
【図９】この発明の第３の実施の形態に係る再生記録システムの構成を模式的に示すブロック図である。
【図１０】この発明の実施の形態に係る再生記録システムの変形例の構成を模式的に示すブロック図である。
【符号の説明】
１，１’，３    ＤＶＤプレーヤ
１Ａ    ディスクドライブ
１Ｂ    システム制御部
１Ｃ    システムメモリ
１Ｄ    キー操作／表示部
１Ｆ    データＲＡＭ
１Ｇ    ビデオデコーダ
１Ｈ    オーディオデコーダ
１Ｊ    副映像デコーダ
１Ｋ    再生処理部
１Ｌ    表示モニタ部
１Ｍ，１Ｎ    スピーカ
２，４，６    ＣＤ−Ｒ装置
５    再生装置
１１，３１    ＤＶＤ再生部
１２，３２，５２    操作入力部
１３，１４，２１，３３，４１，５３，６１，１Ｅ    システムＣＰＵ
２２，４２，６２    ＣＤ−Ｒ記録部
５１    通信処理部
１００    ＤＶＤ
１３１，４４１    選択画面／操作検出部
１３２，１４２，４１２    記録停止／再開制御部
１４１    入力待ち／操作検出部
２１１，４１３    記録動作制御部
【図１】
0003593288.tif 000002
【図２】
0003593288.tif 000003
【図３】
0003593288.tif 000004
【図４】
0003593288.tif 000005
【図５】
0003593288.tif 000006
【図６】
0003593288.tif 000007
【図７】
0003593288.tif 000008
【図８】
0003593288.tif 000009
【図９】
0003593288.tif 000010
【図１０】
0003593288.tif 000011